(57)【特許請求の範囲】
【請求項１】
排水勾配を有する床に除菌水を吐水する浴室洗い場用除菌水吐水装置であって、
水道水を変性して前記除菌水を生成する除菌水生成部と、
前記除菌水を前記床に吐水する吐水口を有するノズルと、
一部の洗浄領域において前記ノズルの動作を停止させた状態で前記吐水口から前記除菌水を吐水する第一工程と、洗浄領域を変えるよう前記ノズルを動かす第二工程と、を実行する制御部と、
を備え、
前記制御部は、前記排水勾配に逆らうように吐水する場合において、前記第一工程と前記第二工程とを交互に実行することを特徴とする浴室洗い場用除菌水吐水装置。
【請求項２】
前記制御部は、前記第二工程中においても前記除菌水の吐水を継続することを特徴とする請求項１記載の浴室洗い場用除菌水吐水装置。
【請求項３】
前記制御部は、前記第一工程の洗浄領域の一部と、次に実行される第一工程の洗浄領域の一部とが重なるように前記ノズルを動かすことを特徴とする請求項１または２に記載の浴室洗い場用除菌水吐水装置。
【請求項４】
前記ノズルは、遠方に前記除菌水を吐水する遠方用ノズルと、前記遠方用ノズルよりも近傍に前記除菌水を吐水する近傍用ノズルと、を有し、
前記遠方用ノズルと前記近傍用ノズルは上から見たときに同じ吐水方向となるように設けられていることを特徴とする請求項１〜３のいずれか１つに記載の浴室洗い場用除菌水吐水装置。
【発明の詳細な説明】
【技術分野】
【０００１】
本発明は、浴室洗い場用除菌水吐水装置に関する。
【背景技術】
【０００２】
例えば、浴室の洗い場床には、人体の洗浄に使用された石鹸やシャンプーなどのかす、人体から発生したアカ（タンパク質系、炭水化物系、油脂系、塩類等）などの汚れが付着する。このような汚れに起因した菌を除菌するための洗浄装置が提案されている。特許文献１には、浴室の洗い場床に除菌水を吐水する構成が開示されている。
【先行技術文献】
【特許文献】
【０００３】
【特許文献１】特開２００８−１６８２３０号公報
【発明の概要】
【発明が解決しようとする課題】
【０００４】
洗い場床の全体に大量の除菌水を吐水すれば床面全体をムラなく除菌できるが、少量の除菌水でも、除菌水が床面上に水膜となってとどまり、床面の菌に作用する時間を長くすれば、床面全体をムラなく除菌することが可能である。しかし、一般的な浴室の洗い場床には排水勾配がついており、洗い場床に着水した除菌水が十分な除菌効果を発揮する前に排水口へと流れてしまう懸念がある。
【０００５】
除菌水を排水勾配に対して逆らうように吐水する技術の提案があるが、ノズルの連続回転により洗浄領域（床面上における除菌水着水領域）を変えつつ除菌水を吐水している。この場合、ある領域に除菌水が着水し、その直後にノズルから吐水された新たな除菌水が床面に着水する時には、ノズルの回転移動により吐水方向が変わっている。このため、後に吐水される除菌水によって、先に吐水された除菌水を押し戻すことができない。先に吐水された除菌水は排水勾配に沿って排水口に向けて流れ、除菌効果の発揮に十分な時間、床面上にとどめておくことが難しくなる。そのため、洗い場床全体をムラ無く除菌するためには、除菌水の量に頼ることになり、必要な除菌水の使用水量が多くなってしまう。
【０００６】
本発明は、かかる課題の認識に基づいてなされたものであり、少量の除菌水で洗い場床全体を除菌することができる浴室洗い場用除菌水吐水装置を提供することを目的とする。
【課題を解決するための手段】
【０００７】
第１の発明の浴室洗い場用除菌水吐水装置は、排水勾配を有する床に除菌水を吐水する浴室洗い場用除菌水吐水装置であって、水道水を変性して前記除菌水を生成する除菌水生成部と、前記除菌水を前記床に吐水する吐水口を有するノズルと、一部の洗浄領域において前記ノズルの動作を停止させた状態で前記吐水口から前記除菌水を吐水する第一工程と、洗浄領域を変えるよう前記ノズルを動かす第二工程と、を実行する制御部と、を備えている。前記制御部は、前記排水勾配に逆らうように吐水する場合において、前記第一工程と前記第二工程とを交互に実行する。  
第１の発明によれば、排水勾配に逆らうように除菌水をある領域に吐水しているとき、ノズルを連続的に移動させるのではなく、途中に停止させる第一工程を設けている。その第一工程においては、停止したノズルから同じ領域に除菌水が吐水しつ続けるため、先に吐水された除菌水を後に吐水された除菌水によって排水勾配に逆らうように押し戻すことができる。  
これは、除菌水の排出を遅延させ、洗い場床の床面上に除菌水がとどまって菌などに作用する時間を長くし、大量の除菌水を使わなくても、少量の除菌水で床面全体をムラなく除菌することが可能となる。  
第２の発明は、第１の発明において、前記制御部は、前記第二工程中においても前記除菌水の吐水を継続することを特徴とする。  
第２の発明によれば、ノズルの移動中も吐水し続ける除菌水によっても、先に吐水された除菌水を押し戻すことができ、除菌水を押し戻す時間を長くすることができる。そのため、除菌水が菌に作用する時間を長くすることができる。  
第３の発明は、第１または第２の発明において、前記制御部は、前記第一工程の洗浄領域の一部と、次に実行される第一工程の洗浄領域の一部とが重なるように前記ノズルを動かすことを特徴とする。  
第３の発明によれば、床面全体にムラ無く除菌水を直接着水させることができ、床面全体に除菌水の水膜を形成しやすくなり、床面全体のムラのない除菌が可能となる。  
第４の発明は、第１〜第３の発明のいずれか１つにおいて、前記ノズルは、遠方に前記除菌水を吐水する遠方用ノズルと、前記遠方用ノズルよりも近傍に前記除菌水を吐水する近傍用ノズルと、を有し、前記遠方用ノズルと前記近傍用ノズルは上から見たときに同じ吐水方向となるように設けられていることを特徴とする。  
第４の発明によれば、遠方用ノズルから吐出され遠方の床面に着水した除菌水を、近傍用ノズルから吐出され近傍の床面に着水した除菌水で、排水勾配に逆らうように押し戻すことができる。近傍用ノズルから近傍に吐水された除菌水を近傍領域の洗浄だけでなく、遠方領域の除菌水の押し戻しにも有効利用できる。
【発明の効果】
【０００８】
本発明によれば、少量の除菌水で洗い場床全体を除菌することができる。
【図面の簡単な説明】
【０００９】
【図１】実施形態の浴室洗い場用除菌水吐水装置の構成を例示する模式図。
【図２】実施形態の浴室洗い場用除菌水吐水装置が設置された浴室を表す模式斜視図。
【図３】（ａ）は実施形態の除菌水吐水部を例示する模式斜視図であり、（ｂ）は実施形態の除菌水吐水部を例示する模式断面図。
【図４】実施形態の除菌水吐水部から除菌水が吐水された状態を例示する模式側面図。
【図５】実施形態の除菌水による洗浄工程のタイミングチャート。
【図６】実施形態の除菌水による洗浄工程を例示する模式平面図。
【図７】実施形態の除菌水による洗浄工程を例示する模式平面図。
【図８】実施形態の除菌水による洗浄工程を例示する模式平面図。
【発明を実施するための形態】
【００１０】
以下、図面を参照し、実施形態について説明する。各図面中、同じ要素には同じ符号を付している。
【００１１】
図１は、本発明の実施形態の浴室洗い場用除菌水吐水装置１００の構成を例示する模式図である。
【００１２】
実施形態の浴室洗い場用除菌水吐水装置（以下、説明の便宜上、単に「除菌水吐水装置」と称する）１００は、除菌水吐水部１０と、除菌水生成部２０と、制御部３０と、を備える。除菌水吐水装置１００は、浴室に設置され、浴室の洗い場床を除菌する装置である。
【００１３】
まず、図２（ａ）および（ｂ）を参照して、実施形態の除菌水吐水装置１００が設置される浴室の例について説明する。  
図２（ａ）は、浴室５００の模式斜視図である。  
図２（ｂ）は、浴室５００におけるカウンタ５３０の近傍を拡大した模式斜視図である。
【００１４】
図２（ａ）に表したように、浴室５００は、第１〜第４の壁５４１〜５４４と天井５４５に囲まれている。その浴室５００内に、浴槽５１０、洗い場床５２０、およびカウンタ５３０が設けられている。さらに、浴室５００には、鏡、給水栓、シャワーホースなどが適宜設けられている。
【００１５】
浴槽５１０の短辺側に、第１の壁５４１と第２の壁５４２が対向して設けられている。浴槽５１０の長辺側に第４の壁５４４が設けられている。第４の壁５４４に対向して、洗い場床５２０側に第３の壁５４３が設けられている。
【００１６】
洗い場床５２０には、排水口５２１が設けられている。図２に示す例では、排水口５２１は、洗い場床５２０の浴槽５１０側の縁部における、第１の壁５４１と第２の壁５４２とを結ぶ方向の中央付近に設けられている。
【００１７】
洗い場床５２０の床面には、第１の壁５４１側の縁部、第２の壁５４２側の縁部、および第３の壁５４３側の縁部から、排水口５２１へ向かう緩やかな下り傾斜が、排水勾配として設けられている。
【００１８】
カウンタ５３０、鏡、給水栓およびシャワーホースは、例えば、第２の壁５４２に取り付けられている。
【００１９】
カウンタ５３０は、洗い場床５２０の床面から上方に離間して設置されている。カウンタ５３０は、上方から見たときに、横方向に長い略矩形状の形状を有する。カウンタ５３０の横方向における幅は、洗い場床５２０の横方向における幅と同等である。
【００２０】
除菌水吐水部１０は、カウンタ５３０の下部に設けられている。除菌水吐水部１０は、洗い場床５２０から離間した位置に配置されている。除菌水吐水部１０は、例えば、カウンタ５３０の長手方向における中央付近に設置されている。すなわち、除菌水吐水部１０は、洗い場床５２０の短辺方向（第４の壁５４４と第３の壁５４３とを結ぶ方向）における中央付近に設置されている。これにより、除菌水を洗い場床５２０の全体に吐出しやすくなる。
【００２１】
カウンタ５３０は、天板５３１と、前カバー５３２と、下カバー５３３（図１に示す）と、を有する。
【００２２】
図１は、カウンタ５３０を側方から見た様子を表している。例えば、除菌水吐水部１０は、下カバー５３３から下方に突出するように設けられている。
【００２３】
浴室５００の外部には、給水管５１と、給湯管５２と、が設けられている。給水管５１は、図示しない水道管と接続されている。給水管５１から水道水が除菌水吐水部１０に供給される。
【００２４】
図１に示すように、カウンタ５３０における天板５３１と前カバー５３２と下カバー５３３の内側には、止水栓５３と、電磁弁５４と、調圧弁５５と、逆止弁５６と、除菌水生成部２０と、モータ１７と、制御部３０と、が設けられている。
【００２５】
止水栓５３は、給水管５１と接続されている。給水管５１と除菌水吐水部１０との間の流路において、上流側から順に、止水栓５３、電磁弁５４、調圧弁５５、逆止弁５６、および除菌水生成部２０が接続されている。
【００２６】
なお、止水栓５３、電磁弁５４、調圧弁５５、逆止弁５６、除菌水生成部２０、モータ１７、および制御部３０の少なくとも一部は、カウンタ５３０の外部または浴室５００の外部に設けられていてもよい。例えば、図２（ａ）に表したように、制御部３０を浴室５００の外部に設けてもよい。
【００２７】
止水栓５３および電磁弁５４の開閉によって、下流側への水道水の供給／遮断が制御される。制御部３０からの信号を受け、電磁弁５４は、水道水の流路を開く動作、または、水道水の流路を閉じる動作を行う。
【００２８】
調圧弁５５は、供給された水道水の圧力を制御する。これにより、除菌水生成部２０に供給される水道水の流量を調整することができる。除菌水生成部２０に供給される水道水の流量を調整することで、除菌水吐水部１０に供給される除菌水の流量が調整される。なお、電磁弁５４を用いて、流量を調整してもよい。
【００２９】
除菌水生成部２０は、例えば、陽極と陰極とを有する電解槽である。除菌水生成部２０は、陽極と陰極との間に電圧を印加して、陽極と陰極との間を流れる水道水を電気分解する。これにより、除菌水生成部２０は、水道水を変性して除菌水を生成する。
【００３０】
除菌水は、例えば、次亜塩素酸を含む水である。水道水は、塩化物イオンを含んでいるため、その塩化物イオンを電気分解することによって、次亜塩素酸が生成される。その結果、電気分解された水は、次亜塩素酸を含む液に変化する。
【００３１】
除菌水は、金属イオン水（例えば、銀イオン、銅イオンまたは亜鉛イオンなどの金属イオンを含む水）またはオゾンを含む水であってもよい。例えば、水道水が電気分解される際、陰極においては酸（Ｈ＋）が消費され、陰極の近傍ではｐＨが上昇する。すなわち、陰極の近傍では、アルカリ水が生成される。一方、陽極においてはアルカリ（ＯＨ−）が消費され、陽極の近傍ではｐＨが下降する。すなわち、陽極の近傍では、酸性水が生成される。除菌水生成部２０における流量を変化させることで、除菌水に含まれる成分の濃度を制御することができる。なお、除菌水生成部２０は、電解槽に限定されるわけではない。例えば、除菌水は、除菌剤を水道水に溶解させて生成された除菌水であってもよい。
【００３２】
除菌水生成部２０において生成された除菌水は、除菌水吐水部１０に供給され、除菌水吐水部１０から洗い場床５２０上に吐出される。この除菌水により、洗い場床５２０は除菌される。
【００３３】
除菌水吐水部１０は、例えばモータ１７により、回転動作またはスライド動作可能である。モータ１７は例えばステッピングモータであり、後述するように、そのモータ１７によって、除菌水吐水部１０を鉛直軸（図４（ｂ）において１点鎖線で示す）のまわりに回転させ、除菌水が吐出される方向を変化させることができる。
【００３４】
制御部３０は、電磁弁５４、除菌水生成部２０、およびモータ１７と電気的に接続されている。制御部３０は、電磁弁５４、除菌水生成部２０、およびモータ１７の動作を制御することで、除菌水が吐出される形態（吐水方法、撒き方）を制御することができる。
【００３５】
例えば、電磁弁５４は、制御部３０からの信号に基づいて、水道水の流路の開閉を行う。これにより、下流側に供給される水道水の流量が制御される。また、除菌水生成部２０は、制御部３０からの信号に基づいて、電解槽のＯＮ／ＯＦＦを切り替える。制御部３０からモータ１７に送信される信号に基づいて、除菌水吐水部１０は、回転角度や回転速度を変化させる。このようにして制御部３０は、除菌水の濃度、吐出される除菌水の瞬間流量、吐出される除菌水の総量、除菌水吐水部１０の動作、および除菌水の吐出方向などを制御することができる。
【００３６】
図２（ａ）に表したように、制御部３０と電気的に接続された操作部３５が、浴室５００の内側または浴室５００の外側に設けられている。除菌水吐水装置１００の使用者は、この操作部３５を用いて、除菌水吐水装置１００の動作を操作することができる。
【００３７】
次に、実施形態の除菌水吐水部１０の例について説明する。
【００３８】
図３（ａ）は、実施形態の除菌水吐水部１０を例示する模式斜視図であり、図３（ｂ）は、図３（ａ）におけるＡ−Ａ’断面図である。
【００３９】
図３（ａ）および図３（ｂ）に表したように、除菌水吐水部１０は、第１のノズル１１と、第２のノズル１２と、貯水部１３と、を有する。
【００４０】
貯水部１３は、例えば円筒状であり、その内部の空間に除菌水生成部２０から供給された除菌水を一時的に溜めることができる。第１のノズル１１および第２のノズル１２は、貯水部１３の側面に設けられている。第１のノズル１１は、第２のノズル１２よりも鉛直方向の上方に設けられている。
【００４１】
第１のノズル１１は第１の吐水口１１ａを有し、第２のノズル１２は第２の吐水口１２ａを有する。貯水部１３内における除菌水が溜まる空間は、第１の吐水口１１ａおよび第２の吐水口１２ａを介して、外部と連通している。
【００４２】
貯水部１３内の除菌水は、第１の吐水口１１ａおよび第２の吐水口１２ａから、洗い場床上に吐出する。例えば、第１の吐水口１１ａおよび第２の吐水口１２ａから同時に除菌水が吐出される。貯水部１３を設けることによって、除菌水を一時的に貯留し、吐水圧力を上昇させることができる。
【００４３】
図４（ａ）および（ｂ）は、実施形態の除菌水吐水部１０から除菌水が吐水された状態を例示する模式側面図である。図４（ｂ）は、図４（ａ）の除菌水吐水部１０の近傍を拡大して表している。
【００４４】
第２のノズル１２は水平方向よりも下向きに傾いており、その第２のノズル１２よりも上方に設けられた第１のノズル１１は、水平方向よりも上向きに傾いている。したがって、第１のノズル１１から吐出された除菌水は、第２のノズル１２から吐出された除菌水よりも、除菌水吐水部１０から遠い領域まで届く。
【００４５】
第１のノズル１１は、洗い場床５２０のうち除菌水吐水部１０から遠い範囲を受け持つ遠方用ノズルである。第２のノズル１２は、洗い場床５２０のうち除菌水吐水部１０から近い範囲を受け持つ近傍用ノズルである。
【００４６】
また、この例では、上から見たときに、第２のノズル１２から除菌水が吐出される方向は、第１のノズル１１から除菌水が吐出される方向に沿った方向である。第１のノズル１１の吐水方向は、第２のノズル１２の吐水方向と実質的に同じである。なお、本願明細書において「吐水方向」とは、上から見たときの、除菌水が吐出される方向をいうものとする。
【００４７】
上から見たとき、除菌水が複数の方向に広がる範囲をもって吐出される場合には、複数の方向の中央を「吐水方向」とすることができる。あるいは、上から見たときに、吐水口１１ａ、１２ａを中心に扇状または三角形状に広がって除菌水が吐水される場合、その扇状または三角形状の範囲を概略二等分する方向を「吐水方向」とすることができる。
【００４８】
浴室の洗い場床の表面には、複数の凸部と複数の凹部（溝部）が形成されていることが多い。凸部は滑り止めの機能を担う。また、凹部を、凸部の周囲を囲むように複数の凸部の間に途切れることなく連続して形成し、その凹部（溝部）に流れ込んだ水を排水口まで途切れることなくゆっくりと排水させることで優れた排水性をもつ洗い場床もある。そのような洗い場床上で除菌水が大きな水滴を多数形成すると、上記凹部（溝部）で複数の水滴がつながり、排水勾配に沿って排水口に流れやすくなる。
【００４９】
実施形態の除菌水吐水部１０の第１の吐水口１１ａの径および第２の吐水口１２ａの径は小さいため、除菌水は、例えば霧状（ミスト）となって吐出される。このような霧状の除菌水は、洗い場床上で大きな水滴になりにくく、洗い場床上に滞留しやすい。滞留性の高い形態で除菌水を吐出することによって、除菌水が洗い場床上の菌に作用する時間を確保することができる。これにより、より少ない量の除菌水で、洗い場床を除菌することができる。
【００５０】
図３（ａ）に表したように、第１のノズル１１における第１の吐水口１１ａの近傍に上下方向に沿った溝１１ｇが設けられている。この溝１１ｇによって、第１の吐水口１１ａから除菌水が吐出される方向が制御される。同様に、第２のノズル１２における第２の吐水口１２ａ近傍に設けられた上下方向に沿った溝１２ｇによって、第２の吐水口１２から除菌水が吐出される方向が制御される。例えば、図４（ｂ）に模式的に表したように、除菌水は、第１の吐水口１１ａおよび第２の吐水口１２ａから上下方向に広がりをもって吐出される。
【００５１】
モータ１７の駆動により、第１のノズル１１および第２のノズル１２は、一体となって鉛直軸（図４（ｂ）に１点鎖線で仮想的に示す）のまわりに回転可能である。第１のノズル１１および第２のノズル１２が回転することで吐水方向が変わる。吐水方向の変更により、洗い場床５２０の床面上における除菌水の吐水領域（洗浄領域）を変えることができ、洗い場床５２０の全体にムラなく除菌水を吐水可能である。または、第１のノズル１１および第２のノズル１２は、カウンタ５３０の長手方向に沿って往復移動する構成でもよい。
【００５２】
なお、ノズル１１、１２の吐水口１１ａ、１２ａの開口径を小さくすると、遠方まで除菌水を吐水できるようになるが、吐水される範囲が狭くなってしまう。
【００５３】
実施形態では、第１のノズル１１および第２のノズル１２を動かす（例えば回転させる）ことで、洗い場床５２０の全体に除菌水を吐水することができる。これにより、除菌水が作用しない領域の発生を防止でき、洗い場床５２０における除菌ムラを防止できる。
【００５４】
ノズル１１、１２を動かすモータ１７の駆動は、制御部３０によって制御される。また、制御部３０は、後述する第一工程と第二工程とを実行する。
【００５５】
図５（ａ）は、除菌水の吐水のオン／オフのタイミングチャートである。オンの期間、ノズル１１、１２の吐水口１１ａ、１２ａから除菌水が吐水され、オフの期間、ノズル１１、１２の吐水口１１ａ、１２ａからは除菌水が吐水されない。
【００５６】
図５（ｂ）は、ノズル１１、１２の移動のタイミングチャートである。ノズル１１、１２の回転移動（第二工程）と、ノズル１１、１２の移動の停止（第一工程）とが交互に繰り返される。この第一工程と第二工程とが交互に繰り返される期間中、図５（ａ）に示すように、ノズル１１、１２からは除菌水が吐水し続けている。
【００５７】
次に、図６（ａ）〜図８（ｂ）を参照して、実施形態による除菌水を用いた洗い場床の洗浄工程について説明する。図６（ａ）〜図８（ｂ）は、洗い場床５２０の床面を上から見た模式平面を表す。
【００５８】
図６（ａ）に示すように、上から見て、洗い場床５２０は４つの縁部５２０ａ〜５２０ｄをもつ矩形状に形成されている。排水口５２１は縁部５２０ｄ側に設けられている。その縁部５２０ｄと、これに対向する縁部５２０ａは、洗い場床５２０の長手方向に延在している。カウンタ５３０および除菌水吐水部１０は、縁部５２０ｂ側に設けられている。その縁部５２０ｂと、これに対向する縁部５２０ｃは、洗い場床５２０の短手方向に延在している。
【００５９】
洗い場床５２０の床面には、縁部５２０ａ、縁部５２０ｂ、および縁部５２０ｃから排水口５２１に向かって下り傾斜した排水勾配がつけられている。図６（ａ）において、矢印終点（アローヘッド）側が勾配の低い側である。
【００６０】
第一工程においては、ノズル１１、１２の動作（回転移動）を停止させた状態で、床面上の一部の領域に除菌水を吐水する。除菌水は、その一部の領域に着水する。第一工程は洗浄領域を変えて複数回行われるが、図６（ｂ）はそのうちのある１回の第一工程を表す。
【００６１】
移動が停止したノズル１１、１２から除菌水が吐水方向Ａに向けて吐水される。ノズル１１、１２から吐出された除菌水は例えば円錐状の広がりをもつ。図６（ｂ）の上面視においては、除菌水は扇または三角形状の広がり（洗浄領域）２０１をもって霧（ミスト）状に吐出される。この例では、その広がりの中心角を二等分する方向として吐水方向Ａを定義している。これは、図６（ｂ）の第一工程だけでなく、他の第一工程についても言える。
【００６２】
この第一工程の後、第二工程が実行される。第二工程では、ノズル１１、１２を回転移動させ、洗浄領域を変える。ノズル１１、１２は、図６（ｂ）において吐水方向Ａに吐水して第一工程を実行する位置から、図７（ａ）に示すように、反時計方向に角度θ回転され、次の第一工程を実行する位置に移動する。この次の第一工程の位置では、ノズル１１、１２から吐水方向Ｂに向けて除菌水が吐水され、その除菌水は破線で表すような広がり（洗浄領域）２０２をもつ。
【００６３】
実線で示す先の第一工程の洗浄領域２０１の一部と、次に実行される第一工程における破線で示す洗浄領域２０２の一部とが重なるように、ノズル１１、１２の回転移動量（回転角θ）が、制御部３０によって制御される。
【００６４】
この第一工程の後、再び第二工程が実行され、ノズル１１、１２を回転移動させ、洗浄領域を変える。ノズル１１、１２は、図７（ａ）において吐水方向Ｂに吐水して第一工程を実行する位置から、図７（ｂ）に示すように、反時計方向に角度θ回転され、次の第一工程を実行する位置に移動する。この次の第一工程の位置では、ノズル１１、１２から吐水方向Ｃに向けて除菌水が吐水され、その除菌水は実線で表すような広がり（洗浄領域）２０３をもつ。
【００６５】
このときも、破線で示す先の第一工程の洗浄領域２０２の一部と、次に実行される第一工程における実線で示す洗浄領域２０３の一部とが重なるように、ノズル１１、１２の回転移動量（回転角θ）が、制御部３０によって制御される。
【００６６】
以降、図８（ａ）および（ｂ）に示すように、第二工程と第一工程とが交互に複数回繰り返される。第二工程において、ノズル１１、１２は、反時計方向に所定角度回転移動される。図８（ａ）および（ｂ）において、それぞれの第一工程における吐水の広がり（洗浄領域）を、図６（ｂ）〜図７（ｂ）と同様に、実線と破線の扇状に模して表す。実線で示す洗浄領域に第一工程を実行した後、破線で示す洗浄領域に次の第一工程が実行され、その次に実線で示す洗浄領域に第一工程が実行され、というように、ノズル１１、１２の移動工程（第二工程）を介して、第一工程が洗い場床の全体に対して複数回繰り返される。これにより、洗い場床の全体に除菌水を吐水することができる。
【００６７】
複数の第一工程の中には、排水勾配に逆らうように除菌水を吐水する工程がある。例えば、ノズル１１、１２の位置を基準にして、排水口５２１よりも遠い領域（図８（ｂ）においてグレーで表す領域）５２２に吐水するときの吐水方向は排水勾配に逆らっている。その領域５２２には、図６（ａ）に矢印で模式的に示すように、カウンタ５３０から遠い側の縁部５２０ｃから排水口５２１に向かって下り傾斜した勾配がつけられている。
【００６８】
排水勾配に逆らうように吐水する場合において、ノズル１１、１２を断続的にではなく連続して洗浄領域（除菌水の着水領域）が変わるように動かす（回転移動させる）比較例を考える。この場合、除菌水の着水領域が連続して推移していくため、後に吐水された除菌水で先に吐水された除菌水を押し戻す作用が継続されない。先に吐水された除菌水は、後に吐水された除菌水で押し戻されることなく、排水口５２１に向けて排出されてしまう。
【００６９】
これに対して、実施形態によれば、排水勾配に逆らうように除菌水を領域５２２に吐水しているとき、ノズル１１、１２を連続的に回転移動させるのではなく、途中に停止させる第一工程を設けている。その第一工程においては、停止したノズル１１、１２から同じ領域に除菌水が吐水しつ続けるため、先に吐水された除菌水を後に吐水された除菌水によって排水勾配に逆らうように押し戻すことができる。
【００７０】
これは、除菌水の排水口５２１へ向けた排出を遅延させ、床面上に除菌水がとどまって菌などに作用する時間を長くする。除菌水が十分な除菌効果を発揮する前に排出されてしまうことを防止できる。大量の除菌水を使わなくても、少量の除菌水で床面全体をムラなく除菌することが可能である。
【００７１】
また、図５（ａ）および（ｂ）のタイミングチャートに示すように、第二工程中においても除菌水の吐水は継続される。すなわち、ノズル１１、１２の回転移動中も除菌水が吐出し続ける。
【００７２】
ノズル１１、１２の移動中も吐水し続ける除菌水によっても、先に吐水された除菌水を押し戻すことができ、除菌水を押し戻す時間を長くすることができる。そのため、除菌水が菌に作用する時間を長くすることができる。
【００７３】
先の第一工程における洗浄領域と、その次に実行される第一工程における洗浄領域とが重複しないようにノズル１１、１２を動かすと、床面に排水勾配がついていることや、床面の凹凸パターンが様々なことから、除菌水の排水口５２１へ向けた通り道が偏ってしまい、床全体を除菌できなくなる懸念がある。
【００７４】
そこで、前述したように、先の第一工程の洗浄領域の一部と、その後の洗浄領域の一部とが重なるようにノズル１１、１２の移動を制御することで、床面全体にムラ無く除菌水を直接着水させることができる。これにより、床面全体に除菌水の水膜を形成しやすくなり、床面全体のムラのない除菌が可能となる。
【００７５】
図３（ａ）〜図４（ｂ）を参照して前述したように、除菌水吐水部１０は、遠方に除菌水を吐水する遠方用ノズル（第１のノズル）１１と、遠方用ノズル１１よりも近傍に除菌水を吐水する近傍用ノズル（第２のノズル）１２と、を有する。そして、遠方用ノズル１１と近傍用ノズル１２は上から見たときに同じ吐水方向となるように設けられている。
【００７６】
このため、図４（ａ）において模式的に表すように、遠方用ノズル１１から吐出され、除菌水吐水部１０を基準にして排水口５２１よりも遠方の床面に着水した除菌水を、近傍用ノズル１２から吐出され、排水口５２１よりも除菌水吐水部１０側の床面に着水した除菌水で、排水勾配に逆らうように押し戻すことができる。
【００７７】
近傍用ノズル１１から近傍に吐水された除菌水を近傍領域の洗浄だけでなく、遠方領域の除菌水の押し戻しにも有効利用できる。
【００７８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７９】
１０…除菌水吐水部、１１…第１のノズル、１１ａ…第１の吐水口、１２…第２のノズル、１２ａ…第２の吐水口、２０…除菌水生成部、３０…制御部、５００…浴室、５２０…洗い場床、５２１…排水口、５３０…カウンタ
【図１】
0006471562.tif 000002
【図２】
0006471562.tif 000003
【図３】
0006471562.tif 000004
【図４】
0006471562.tif 000005
【図５】
0006471562.tif 000006
【図６】
0006471562.tif 000007
【図７】
0006471562.tif 000008
【図８】
0006471562.tif 000009